(57)【要約】      （修正有）【課題】完全に水密状態に保持できるコンクリート壁等に埋め込まれる鞘管と管路またはケーブルの止水固定装置、または、直接コンクリート壁貫通口に挿通される管路またはケーブルの止水固定装置を提供する。【解決手段】２枚の環状フランジ５で環状弾性体４ａ〜４ｃを挟持し、環状フランジ間に挿通されたボルト６２に螺着されたナットを、締めつけることによって環状弾性体を圧縮変形させて管路またはケーブルをコンクリート壁内の鞘管またはコンクリート壁貫通口内面に固定することを特徴とし、環状フランジが金属または強化プラスチックで形成され、環状フランジ間に挿通された複数のボルトに螺着された複数のナットを締め付けることにより圧縮変形される環状弾性体の外周の膨出部４０が鞘管２の内面またはコンクリート壁貫通口内面に押圧され、環状弾性体の内周の膨出部がケーブル３に押圧されて固定され、完全に水密状態に保持する。【選択図】図１
0003214446.tif 000002
【実用新案登録請求の範囲】
【請求項１】
２枚の分割環状フランジで分割環状弾性体を挟持し、該分割環状フランジ間に挿通されたボルトをレンチを用いて締めつけることによって該分割環状弾性体を圧縮変形させて鞘管内面またはコンクリート壁貫通孔内面に水密状態に固定することを特徴とする管路またはケーブル止水固定装置
【請求項２】
分割環状フランジ及び分割環状弾性体の分割面をずらして既存の管路またはケーブルに装着して、鞘管又はコンクリート壁貫通口に挿通し、次いで該分割環状フランジ及び分割環状弾性体に挿通されたボルトを締め付けて該分割環状弾性体を圧縮変形させて膨出させ、管路又はケーブルを鞘管内面またはコンクリート壁貫通口内面に水密状態に固定することを特徴とする請求項１記載の管路またはケーブル止水固定装置。
【請求項３】
２枚の分割環状フランジが金属または強化プラスチックで形成されており、該分割環状フランジで挟持される分割環状弾性体は、合成ゴム、半加硫ゴム、エラストマー又は水膨張性ゴムからなる積層体で構成されていることを特徴とする請求項１記載の管路またはケーブル止水固定装置。
【請求項４】
マンホール又は縦坑コンクリート壁に形成さえれるコンクリート壁貫通孔に、ケーブルを保持する分割環状弾性体を挿通して指圧する際、該分割状弾性体の周縁部がコンクリート壁貫通孔の内面に三次元状に変形されて水密状に保持されることを特徴とする請求項１記載の管路またはケーブル止水固定装置。
【請求項５】
環状弾性体の外周及び内周に環状ブチルゴムが装着されており、環状フランジ間に挿通された複数のボルトに螺着された複数のナットを締め付けることにより圧縮変形される環状弾性体の外周の環状ブチルゴムがコンクリート壁貫通口内面に押圧され、環状弾性体の内面の環状ブチルゴムに押圧されて固定されると共に、コンクリート壁貫通口内面とケーブルとの間隙が水密状態に保持されることを特徴とする請求項１記載の管路またはケーブル止水固定装置。
【考案の詳細な説明】
【技術分野】
【０００１】  本考案は管路またはケーブルの止水固定装置に関し、特にコンクリート壁等に埋め込まれた鞘管と管路またはケーブルの止水固定装置、または、直接コンクリート壁貫通口に挿通される管路またはケーブルの止水固定装置に関する。
【背景技術】
【０００２】  従来、ガス管、上下水道管、電線管、光ケーブル、通信ケーブル等の配管がコンクリート壁等に埋め込まれる場合に、管路と鞘管との止水固定装置では、管路と鞘管との間に装着される水膨張性ゴムやエラストマー材または非水膨張性ゴムやエラストマー等よりなる環状の止水パッキン材が一体成形されているものがあった。
【先行技術文献】
【０００３】
【特許文献１】特開２００５−２８２７６３号公報
【特許文献２】特公平７−１１４５３０号公報
【考案の概要】
【０００４】
【考案が解決しようとする課題】
【０００５】  前記せる特開２００５−２８２７６３号公報では、管路と鞘管との間に装着される水膨張性ゴムやエラストマー材または非水膨張性ゴムやエラストマー材等よりなる環状の止水パッキン材が一体成形されているものであった。【０００６】  そのため、装着の作業性が悪く、材料強度も弱く、水圧に負けて鞘管内へ流れてしまい止水効果がなく、接着面の汚れや残骸がのこるものであった。【０００７】  また、前記せる特公平７−１１４５３０号公報では、管路内に挿通する線材における管路口部分の外周面に、半加硫ゴムを巻き付けるとともに、その半加硫ゴムの両端側にそれぞれリング状のパッキンを取付けて、管路内におけるパッキン間を閉塞し、その状態で、両パッキン、半加硫ゴムおよび管路の壁面とで囲われる空間に管路取水材形成材料を充填し硬化させることにより、上記半加硫ゴムを線材に密着させ、管路を止水する構造であった。【０００８】  この場合も、半加硫ゴムの巻き付けや管路取水材形成材料を充填し硬化等の作業性が悪く、材料強度も弱く、水圧に負けて鞘管内に流れてしまい、止水効果がなく、接着面の汚れや残骸がのこるものであった。【０００９】  更に、図８に示す従来例では、タンク鋼板１内に鞘管２を挿通し、該鞘管２内にケーブル３を挿通し、鞘管内に充填材９１，９２を充填してボルト８で係止し、封止材９３で封止する構造であったが、材料の劣化により密着性が乏しいものであった。
【課題を解決するための手段】
【００１０】  本考案は、前記せる課題を解決するために、以下のように構成されている。
２枚の分割環状フランジで分割環状弾性体を挟持し、該分割環状フランジ間に挿通されたボルトを、レンチを用いて締めつけることによって該分割環状弾性体を圧縮変形させて鞘管内面またはコンクリート壁貫通孔内面に水密状態に固定することを特徴とし、分割環状フランジ及び分割環状弾性体の分割面をずらして既存の管路またはケーブルに装着して、鞘管又はコンクリート壁貫通孔に挿通し、次いで該分割環状フランジ及び分割環状弾性体に挿通されたボルトを締め付けて該分割環状弾性体を圧縮変形させて膨出させ、管路又はケーブルを鞘管内面またはコクリート壁貫通孔内面に水密状態に固定することを特徴とし、２枚の分割環状フランジが金属または強化プラスチックで形成されており、該分割環状フランジで挟持される分割環状弾性体が、ブチルゴム、エラストマー材、又は水膨張性ゴムからなる積層体で構成されていることを特徴とし、且つ、マンホール又は縦坑コンクリート壁に形成されるコンクリート壁貫通孔に、ケーブルを保持する分割状弾性体を挿通して押圧する際、該分割状弾性体の周縁部がコンクリート壁貫通孔の内面に三次元状に変形されて水密状に保持されることを特徴とする管路またはケーブル止水固定装置を提供するものである。
【考案の効果】
【００１１】  本考案の管路またはケーブル止水固定装置に於いては、２枚の分割環状フランジで挟持された分割環状弾性体にケーブルを挿通した状態で、コンクリート壁に固定された鞘管内へ仮止めし、次いで、環状フランジ間に挿通された複数のボルトを、レンチを用いて順次締付ける簡単な操作によって、分割環状弾性体を圧縮変形させて管路やコンクリート壁貫通孔に水密状に固定することができる。【００１２】  また、分割環状弾性体は、ブチルゴム、エラストマー材、又は水膨張性ゴムからなる積層体で構成されているので、分割環状フランジ間に挿通された複数のボルトを締め付けることにより圧縮変形される環状弾性体のブチルゴム、エラストマー材、又は水膨張性ゴムが鞘管内面又はコンクリート壁貫通孔内面に押圧され、環状弾性体の内周の環状ブチルゴムが管路又はケーブルに押圧されて固定されると共に、完全に水密状態に保持することができる。【００１３】  また、マンホール又は縦坑コンクリート壁に形成されるコンクリート壁貫通孔に、ケーブルを保持する分割環状弾性体を挿通して押圧する際は、該分割環状弾性体の周縁部がコンクリート壁貫通孔の内面に三次元状に形成されて水密状に保持されるので、三次元のシーリング材としての用途が生じている。
【図面の簡単な説明】
【００１４】
【図１】管路に取り付けた止水固定装置の長手方向縦断面図である。
【図２】図１の分解斜視図である。
【図３】タンクに取り付けた止水固定装置の斜視図である。
【図４】止水固定装置の正面図である。
【図５】コンクリート壁に挿通されたケーブルの斜視図である。
【図６】管路に取り付けた止水固定装置の縦断面図である。
【図７】管路に取り付けた止水固定装置の縦断面図である。
【図８】従来の鞘管内の止水固定装置の長手方向縦断面図である。
【考案を実施するための形態】
【００１５】  図１乃至図４に示すように、２枚の分割環状フランジ５，５で分割環状弾性体４ａ、４ｂ、４ｃを挟持し、分割環状フランジ５，５間に挿通されたボルト６１，６２，６３，６４を  レンチ７１，７２を用いて締めつけることによって分割環状弾性体４ａ、４ｂ、４ｃを圧縮変形させて鞘管２の内面またはコンクリート壁開口内面１０１の内面のケーブル３を水密状態に固定することができる。
【００１６】  前記せる分割環状フランジ５，５は鋼製またはアルミ等の金属または強化プラスチックで形成されている。
【００１７】  分割環状フランジ５，５間に挿通された複数のボルト６１，６２，６３，６４をレンチ７１，７２で締めつけることによって、圧縮変形される環状弾性体４ａ、４ｂ、４ｃの外周の膨出部４０が鞘管２またはコンクリート壁開口内面１０１に押圧され、環状弾性体４ａ、４ｂ、４ｃの内周の膨出部４０が鞘管２内面またはコンクリート壁開口内面１０１に押圧され、環状弾性体４ａ、４ｂ、４ｃの内周の膨出部４０が鞘管２に固定されて、間隙が完全に水密状態に保持される。
【符号の説明】
【００１８】    １    タンク鋼板
１０    止水固定装置
１００    コンクリート壁
１０１    コンクリート壁開口内側
２    鞘管
３    ケーブル
４ａ  環状弾性体
４ｂ  環状弾性体
４ｃ  環状弾性体
４０  膨出部
４１  接触部
４２  孔部
５１  接触部
５  環状フランジ
６１  ボルト
６２  ボルト
６３  ボルト
５４  ボルト
７１  レンチ
７２  レンチ
９１  充填材
９２  充填材
９３  封止材
【図１】
0003214446.tif 000003
【図２】
0003214446.tif 000004
【図３】
0003214446.tif 000005
【図４】
0003214446.tif 000006
【図５】
0003214446.tif 000007
【図６】
0003214446.tif 000008
【図７】
0003214446.tif 000009
【図８】
0003214446.tif 000010